(57)【特許請求の範囲】
【請求項１】
同一のネットワークに接続される少なくとも一つ以上のジョブ処理装置、サーバー、および携帯端末を有する中継接続システムであって、
前記少なくとも一つ以上のジョブ処理装置のそれぞれは、
ジョブ処理装置毎に異なる点滅パターンで点滅する光点滅部を有し、
前記携帯端末は、
撮影部と、
前記撮影部により撮影された所定数の前記ジョブ処理装置に対応する前記点滅パターンに関する情報を含む接続前要求を前記サーバーに送信し、前記接続前要求を送信した後に、前記所定数のジョブ処理装置のうちのいずれかの前記ジョブ処理装置に対応する前記点滅パターンに関する情報を含む接続要求を前記サーバーに送信する送信部と、を有し、
前記サーバーは、
前記少なくとも一つ以上のジョブ処理装置のそれぞれについて、前記ネットワーク上のアドレスと前記点滅パターンとを対応付けて記憶する記憶部と、
前記接続前要求および前記接続要求を前記携帯端末から受信する受信部と、
前記受信部により前記接続前要求が受信された場合、当該接続前要求に含まれる点滅パターンに関する情報に対応するジョブ処理装置を特定し、当該特定したジョブ処理装置が省電力モードに移行することを禁止する制御をするとともに、前記受信部により前記接続要求が受信された場合、当該接続要求に含まれる点滅パターンに関する情報に対応する前記ジョブ処理装置を特定し、当該特定したジョブ処理装置と当該接続要求を送信した前記携帯端末との間の通信を中継する制御部と、を有する中継接続システム。
【請求項２】
前記携帯端末は、前記撮影部により撮影された前記点滅パターンを認識する認識部をさらに有し、
前記送信部は、前記認識部により認識された、前記所定数のジョブ処理装置に対応する前記点滅パターンに関する情報を含む前記接続前要求を前記サーバーに送信した後、前記認識部により認識された、前記所定数のジョブ処理装置のいずれかの前記ジョブ処理装置に対応する前記点滅パターンに関する情報を含む前記接続要求を前記サーバーに送信する、請求項１に記載の中継接続システム。
【請求項３】
前記送信部が前記サーバーに送信する前記接続前要求に含まれる前記点滅パターンに関する情報は、前記撮影部により撮影された前記所定数のジョブ処理装置に対応する前記点滅パターンの動画であり、前記接続要求に含まれる前記点滅パターンに関する情報は、前記所定数のジョブ処理装置のいずれかの前記ジョブ処理装置に対応する前記点滅パターンの動画であり、
前記サーバーは、前記受信部により受信された前記接続前要求および前記接続要求にそれぞれ含まれる動画を解析して、それぞれの動画に含まれる点滅パターンを認識する認識部をさらに有し、
前記制御部は、前記認識部により前記接続前要求および前記接続要求にそれぞれ含まれる動画からそれぞれ認識された点滅パターンに対応するジョブ処理装置をそれぞれ特定する、請求項１に記載の中継接続システム。
【請求項４】
前記サーバーは、前記記憶部に記憶された前記点滅パターンに関する情報を、当該点滅パターンに対応付けされた前記ネットワーク上のアドレスの前記ジョブ処理装置に送信し、
前記ジョブ処理装置の前記光点滅部は、前記ジョブ処理装置により受信された前記点滅パターンに関する情報に基づいて点滅する、請求項１〜３のいずれか一項に記載の中継接続システム。
【請求項５】
前記制御部は、前記接続前要求により前記ジョブ処理装置を特定する前の、前記ジョブ処理装置の特定を開始する時点で、前記ネットワークに接続された前記ジョブ処理装置が前記省電力モードに移行することを禁止し、前記ジョブ処理装置が特定された時点で、前記特定したジョブ処理装置以外の前記ジョブ処理装置が前記省電力モードに移行することを禁止する制御を解除する、請求項１〜４のいずれか一項に記載の中継接続システム。
【請求項６】
前記撮影部により複数のジョブ処理装置の前記点滅パターンが同時に撮影され、前記認識部により複数の前記点滅パターンが認識された場合に、
前記制御部は、前記接続前要求により前記複数のジョブ処理装置を特定し、特定した前記複数のジョブ処理装置が前記省電力モードに移行することを禁止する制御をするとともに、その後、前記撮影部の撮影範囲であるフレームから外れることにより前記撮影部により撮影されなくなった点滅パターンで点滅する前記ジョブ処理装置、前記撮影部のフレーム内の所定範囲において撮影されない状態が所定時間継続した点滅パターンで点滅する前記ジョブ処理装置、および前記携帯端末においてユーザーにより選択されたジョブ処理装置以外のジョブ処理装置が、前記省電力モードに移行することを禁止する制御を解除する、請求項２または３に記載の中継接続システム。
【請求項７】
ジョブ処理装置毎に異なる点滅パターンで点滅する光点滅部を有する少なくとも一つ以上の前記ジョブ処理装置が接続されたネットワークに接続されたサーバーに、
前記少なくとも一つ以上のジョブ処理装置の前記ネットワーク上のアドレスと前記点滅パターンとを対応付けて記憶する手順（ａ）と、
所定数の前記ジョブ処理装置の前記点滅パターンを撮影し、撮影した前記点滅パターンに関する情報を含む接続前要求を送信した後、前記所定数のジョブ処理装置のうちのいずれかの前記ジョブ処理装置に対応する前記点滅パターンに関する情報を含む接続要求を前記ネットワークを通じて送信する携帯端末から前記接続前要求および前記接続要求を受信する手順（ｃ）と、
前記手順（ｃ）において、前記接続前要求が受信された場合、当該接続前要求に含まれる点滅パターンに関する情報に対応するジョブ処理装置を特定し、当該特定したジョブ処理装置が省電力モードに移行することを禁止する制御をするとともに、前記接続要求が受信された場合、当該接続要求に含まれる点滅パターンに関する情報に対応する前記ジョブ処理装置を特定し、当該特定したジョブ処理装置と当該接続要求を送信した前記携帯端末との間の通信を中継する手順（ｄ）と、
を有する手順を、実行させる、中継接続プログラム。
【請求項８】
前記手順（ｃ）は、撮影した前記点滅パターンを認識し、認識した前記所定数のジョブ処理装置に対応する前記点滅パターンに関する情報を含む前記接続前要求を前記サーバーに送信した後、認識した前記所定数のジョブ処理装置のいずれかの前記ジョブ処理装置に対応する前記点滅パターンに関する情報を含む前記接続要求を前記サーバーに送信する前記携帯端末から前記接続前要求および前記接続要求を受信する、請求項７に記載の中継接続プログラム。
【請求項９】
前記手順（ｃ）において前記携帯端末から送信される前記接続前要求に含まれる前記点滅パターンに関する情報は、前記携帯端末により撮影された前記所定数のジョブ処理装置に対応する前記点滅パターンの動画であり、前記接続要求に含まれる前記点滅パターンに関する情報は、前記所定数のジョブ処理装置のいずれかの前記ジョブ処理装置に対応する前記点滅パターンの動画であり、
前記手順（ｄ）は、前記接続前要求および前記接続要求にそれぞれ含まれる動画を解析して、それぞれの動画に含まれる点滅パターンを認識し、前記接続前要求および前記接続要求にそれぞれ含まれる動画からそれぞれ認識された点滅パターンに対応するジョブ処理装置をそれぞれ特定する、請求項７に記載の中継接続プログラム。
【請求項１０】
前記手順は、手順（ａ）で記憶された前記点滅パターンに関する情報を、当該点滅パターンに対応付けされた前記ネットワーク上のアドレスの前記ジョブ処理装置に送信し、前記ジョブ処理装置によりそれぞれ受信された前記点滅パターンに関する情報に基づいて前記ジョブ処理装置の光点滅部を点滅させる手順（ｅ）をさらに有する、請求項７〜９のいずれか一項に記載の中継接続プログラム。
【請求項１１】
前記手順（ｄ）は、前記接続前要求により前記ジョブ処理装置を特定する前の、前記ジョブ処理装置の特定を開始する時点で、前記ネットワークに接続された前記ジョブ処理装置が前記省電力モードに移行することを禁止する制御をし、前記ジョブ処理装置が特定された時点で、前記特定したジョブ処理装置以外の前記ジョブ処理装置が前記省電力モードに移行することを禁止する制御を解除する、請求項７〜１０のいずれか一項に記載の中継接続プログラム。
【請求項１２】
前記携帯端末により複数のジョブ処理装置の前記点滅パターンが同時に撮影された場合に、
前記手順（ｄ）は、前記接続前要求により前記複数のジョブ処理装置を特定し、特定した前記複数のジョブ処理装置が前記省電力モードに移行することを禁止する制御をするとともに、その後、前記携帯端末の撮影範囲であるフレームから外れることにより前記携帯端末により撮影されなくなった点滅パターンで点滅する前記ジョブ処理装置、前記フレーム内の所定範囲において撮影されない状態が所定時間継続した点滅パターンで点滅する前記ジョブ処理装置、および前記携帯端末においてユーザーにより選択されたジョブ処理装置以外のジョブ処理装置が、前記省電力モードに移行することを禁止する制御を解除する、請求項７〜１１のいずれか一項に記載の中継接続プログラム。
【請求項１３】
請求項７〜１２のいずれか一項に記載の中継接続プログラムを記録したコンピュータ読み込み可能な記録媒体。
【発明の詳細な説明】
【技術分野】
【０００１】
本発明は、中継接続システム、中継接続プログラム、および中継接続プログラムを記録したコンピュータ読み取り可能な記録媒体に関し、特に、サーバーを介して携帯端末とジョブ処理装置との間の通信を中継するための中継接続システム、中継接続プログラム、および中継接続プログラムを記録したコンピュータ読み取り可能な記録媒体に関する。
【背景技術】
【０００２】
画像形成装置等の電子機器はスマートデバイス等の端末装置との連携により機能を拡張し、その利便性の向上に努めている。それら二つの機器の間の接続には、主に、ネットワークを経由した接続が利用されている。ネットワーク接続により、有線ではなく無線による通信が可能となることにより、ケーブルの長さにとらわれずにすむ、ケーブルを這わせてある場所にとらわれずにすむ、というように、ユーザーに大きな利便性を与える。
【０００３】
しかし、ネットワーク通信を行うためには、電子機器のネットワーク上の住所であるＩＰ（Ｉｎｔｅｒｎｅｔ  Ｐｒｏｔｏｃｏｌ）アドレスを電子機器間で認知する必要がある。一般的には、ユーザーが直接電子機器に送信先の装置のＩＰアドレスを入力する方式がとられる。この作業は、特に電子機器の操作に不慣れで、ＩＰアドレスに馴染みが薄いユーザーにとっては、困難で不便であることが多い。そこで、この作業を不要とする技術が開発されている。
【０００４】
下記特許文献１に開示された印刷システムでは、印刷リクエストがプリンターにより受信されると、プリンターは自身の一意識別子であるＵＩＤをグラフィカルコードの印刷等により出力するとともにネートワークを介してサーバーに送信する。ユーザーによる印刷リクエストの入力に応答してスマートデバイスで起動したカメラで撮影されたグラフィカルコードから抽出されたＵＩＤと印刷データとがサーバーに送信されると、サーバーは、これと一致するＵＩＤを送信してきたプリンターを特定し、当該プリンターに印刷データを転送して印刷させる。
【０００５】
しかしながら、特許文献１に開示された先行技術は、ユーザーがスマートデバイスに印刷リクエストを入力しようとする際に、意図せずプリンターが自動的に省電力モードに移行してしまう可能性がある。この場合、再度プリンターを通常モードに移行させる必要があるため、無駄な待ち時間が発生するという問題がある。
【０００６】
下記引用文献２に記載された画像形成装置では、画像形成装置に赤外線の変化量に応じて電圧波形の出力信号を発生する人体検出センサーを設け、熱源である人体が発する赤外線による当該出力信号の変化の態様に基づいて人の画像形成装置の方向への接近を判断する。そして、人が画像形成装置に接近していると判断したときは、画像形成装置を省電力モードに移行させず通常モードを維持させる。
【先行技術文献】
【特許文献】
【０００７】
【特許文献１】特開２０１３−１５９６９９４号公報
【特許文献２】特開２０１４−４６６５０号公報
【発明の概要】
【発明が解決しようとする課題】
【０００８】
しかし、特許文献２に開示された先行技術は、ユーザーが画像形成装置に近づく必要があり、また、複数の画像形成装置が隣接して設置されている場合に複数の画像形成装置が同じようにユーザーの接近を検出してしまう可能性があるという問題がある。
【０００９】
本発明は、このような問題を解決するためになされたものである。すなわち、ある程度離れた位置から画像形成装置を識別して当該画像形成装置と携帯端末との間の通信を確立可能とするとともに、画像形成装置が意図せずに省電力モードへ移行することを制限し、無駄な待ち時間が発生することを抑制可能な中継接続システムを提供することを目的とする。
【課題を解決するための手段】
【００１０】
本発明の上記課題は、以下の手段によって解決される。
【００１１】
（１）同一のネットワークに接続される少なくとも一つ以上のジョブ処理装置、サーバー、および携帯端末を有する中継接続システムであって、前記少なくとも一つ以上のジョブ処理装置のそれぞれは、ジョブ処理装置毎に異なる点滅パターンで点滅する光点滅部を有し、前記携帯端末は、撮影部と、前記撮影部により撮影された所定数の前記ジョブ処理装置に対応する前記点滅パターンに関する情報を含む接続前要求を前記サーバーに送信し、前記接続前要求を送信した後に、前記所定数のジョブ処理装置のうちのいずれかの前記ジョブ処理装置に対応する前記点滅パターンに関する情報を含む接続要求を前記サーバーに送信する送信部と、を有し、前記サーバーは、前記少なくとも一つ以上のジョブ処理装置のそれぞれについて、前記ネットワーク上のアドレスと前記点滅パターンとを対応付けて記憶する記憶部と、前記接続前要求および前記接続要求を前記携帯端末から受信する受信部と、前記受信部により前記接続前要求が受信された場合、当該接続前要求に含まれる点滅パターンに関する情報に対応するジョブ処理装置を特定し、当該特定したジョブ処理装置が省電力モードに移行することを禁止する制御をするとともに、前記受信部により前記接続要求が受信された場合、当該接続要求に含まれる点滅パターンに関する情報に対応する前記ジョブ処理装置を特定し、当該特定したジョブ処理装置と当該接続要求を送信した前記携帯端末との間の通信を中継する制御部と、を有する中継接続システム。
【００１２】
（２）前記携帯端末は、前記撮影部により撮影された前記点滅パターンを認識する認識部をさらに有し、前記送信部は、前記認識部により認識された、前記所定数のジョブ処理装置に対応する前記点滅パターンに関する情報を含む前記接続前要求を前記サーバーに送信した後、前記認識部により認識された、前記所定数のジョブ処理装置のいずれかの前記ジョブ処理装置に対応する前記点滅パターンに関する情報を含む前記接続要求を前記サーバーに送信する、上記（１）に記載の中継接続システム。
【００１３】
（３）前記送信部が前記サーバーに送信する前記接続前要求に含まれる前記点滅パターンに関する情報は、前記撮影部により撮影された前記所定数のジョブ処理装置に対応する前記点滅パターンの動画であり、前記接続要求に含まれる前記点滅パターンに関する情報は、前記所定数のジョブ処理装置のいずれかの前記ジョブ処理装置に対応する前記点滅パターンの動画であり、前記サーバーは、前記受信部により受信された前記接続前要求および前記接続要求にそれぞれ含まれる動画を解析して、それぞれの動画に含まれる点滅パターンを認識する認識部をさらに有し、前記制御部は、前記認識部により前記接続前要求および前記接続要求にそれぞれ含まれる動画からそれぞれ認識された点滅パターンに対応するジョブ処理装置をそれぞれ特定する、上記（１）に記載の中継接続システム。
【００１４】
（４）前記サーバーは、前記記憶部に記憶された前記点滅パターンに関する情報を、当該点滅パターンに対応付けされた前記ネットワーク上のアドレスの前記ジョブ処理装置に送信し、前記ジョブ処理装置の前記光点滅部は、前記ジョブ処理装置により受信された前記点滅パターンに関する情報に基づいて点滅する、上記（１）〜（３）のいずれかに記載の中継接続システム。
【００１５】
（５）前記制御部は、前記接続前要求により前記ジョブ処理装置を特定する前の、前記ジョブ処理装置の特定を開始する時点で、前記ネットワークに接続された前記ジョブ処理装置が前記省電力モードに移行することを禁止し、前記ジョブ処理装置が特定された時点で、前記特定したジョブ処理装置以外の前記ジョブ処理装置が前記省電力モードに移行することを禁止する制御を解除する、上記（１）〜（４）のいずれかに記載の中継接続システム。
【００１６】
（６）前記撮影部により複数のジョブ処理装置の前記点滅パターンが同時に撮影され、前記認識部により複数の前記点滅パターンが認識された場合に、前記制御部は、前記接続前要求により前記複数のジョブ処理装置を特定し、特定した前記複数のジョブ処理装置が前記省電力モードに移行することを禁止する制御をするとともに、その後、前記撮影部の撮影範囲であるフレームから外れることにより前記撮影部により撮影されなくなった点滅パターンで点滅する前記ジョブ処理装置、前記撮影部のフレーム内の所定範囲において撮影されない状態が所定時間継続した点滅パターンで点滅する前記ジョブ処理装置、および前記携帯端末においてユーザーにより選択されたジョブ処理装置以外のジョブ処理装置が、前記省電力モードに移行することを禁止する制御を解除する、上記（２）または（３）に記載の中継接続システム。
【００１７】
（７）ジョブ処理装置毎に異なる点滅パターンで点滅する光点滅部を有する少なくとも一つ以上の前記ジョブ処理装置が接続されたネットワークに接続されたサーバーに、前記少なくとも一つ以上のジョブ処理装置の前記ネットワーク上のアドレスと前記点滅パターンとを対応付けて記憶する手順（ａ）と、所定数の前記ジョブ処理装置の前記点滅パターンを撮影し、撮影した前記点滅パターンに関する情報を含む接続前要求を送信した後、前記所定数のジョブ処理装置のうちのいずれかの前記ジョブ処理装置に対応する前記点滅パターンに関する情報を含む接続要求を前記ネットワークを通じて送信する携帯端末から前記接続前要求および前記接続要求を受信する手順（ｃ）と、前記手順（ｃ）において、前記接続前要求が受信された場合、当該接続前要求に含まれる点滅パターンに関する情報に対応するジョブ処理装置を特定し、当該特定したジョブ処理装置が省電力モードに移行することを禁止する制御をするとともに、前記接続要求が受信された場合、当該接続要求に含まれる点滅パターンに関する情報に関する情報に対応する前記ジョブ処理装置を特定し、当該特定したジョブ処理装置と当該接続要求を送信した前記携帯端末との間の通信を中継する手順（ｄ）と、を有する手順を、実行させる、中継接続プログラム。
【００１８】
（８）前記手順（ｃ）は、撮影した前記点滅パターンを認識し、認識した前記所定数のジョブ処理装置に対応する前記点滅パターンに関する情報を含む前記接続前要求を前記サーバーに送信した後、認識した前記所定数のジョブ処理装置のいずれかの前記ジョブ処理装置に対応する前記点滅パターンに関する情報を含む前記接続要求を前記サーバーに送信する前記携帯端末から前記接続前要求および前記接続要求を受信する、上記（７）に記載の中継接続プログラム。
【００１９】
（９）前記手順（ｃ）において前記携帯端末から送信される前記接続前要求に含まれる前記点滅パターンに関する情報は、前記携帯端末により撮影された前記所定数のジョブ処理装置に対応する前記点滅パターンの動画であり、前記接続要求に含まれる前記点滅パターンに関する情報は、前記所定数のジョブ処理装置のいずれかの前記ジョブ処理装置に対応する前記点滅パターンの動画であり、前記手順（ｄ）は、前記接続前要求および前記接続要求にそれぞれ含まれる動画を解析して、それぞれの動画に含まれる点滅パターンを認識し、前記接続前要求および前記接続要求にそれぞれ含まれる動画からそれぞれ認識された点滅パターンに対応するジョブ処理装置をそれぞれ特定する、上記（７）に記載の中継接続プログラム。
【００２０】
（１０）前記手順は、手順（ａ）で記憶された前記点滅パターンに関する情報を、当該点滅パターンに対応付けされた前記ネットワーク上のアドレスの前記ジョブ処理装置に送信し、前記ジョブ処理装置によりそれぞれ受信された前記点滅パターンに関する情報に基づいて前記ジョブ処理装置の光点滅部を点滅させる手順（ｅ）をさらに有する、上記（７）〜（９）のいずれかに記載の中継接続プログラム。
【００２１】
（１１）前記手順（ｄ）は、前記接続前要求により前記ジョブ処理装置を特定する前の、前記ジョブ処理装置の特定を開始する時点で、前記ネットワークに接続された前記ジョブ処理装置が前記省電力モードに移行することを禁止する制御をし、前記ジョブ処理装置が特定された時点で、前記特定したジョブ処理装置以外の前記ジョブ処理装置が前記省電力モードに移行することを禁止する制御を解除する、上記（７）〜（１０）のいずれかに記載の中継接続プログラム。
【００２２】
（１２）前記携帯端末により複数のジョブ処理装置の前記点滅パターンが同時に撮影された場合に、前記手順（ｄ）は、前記接続前要求により前記複数のジョブ処理装置を特定し、特定した前記複数のジョブ処理装置が前記省電力モードに移行することを禁止する制御をするとともに、その後、前記携帯端末の撮影範囲であるフレームから外れることにより前記携帯端末により撮影されなくなった点滅パターンで点滅する前記ジョブ処理装置、前記フレーム内の所定範囲において撮影されない状態が所定時間継続した点滅パターンで点滅する前記ジョブ処理装置、および前記携帯端末においてユーザーにより選択されたジョブ処理装置以外のジョブ処理装置が、前記省電力モードに移行することを禁止する制御を解除する、上記（７）〜（１１）のいずれかに記載の中継接続プログラム。
【００２３】
（１３）上記（７）〜（１２）のいずれかに記載の中継接続プログラムを記録したコンピュータ読み込み可能な記録媒体。
【発明の効果】
【００２４】
ある程度離れた位置から画像形成装置を識別して当該画像形成装置と携帯端末との間の通信を確立可能とするとともに、携帯端末により撮影されている画像形成装置を認識して省電力モードへの移行を禁止することにより、画像形成装置が意図せずに省電力モードへ移行することを制限し、無駄な待ち時間が発生することを抑制できる。
【図面の簡単な説明】
【００２５】
【図１】本発明の実施形態に係る中継接続システムのブロック図である。
【図２】ＭＦＰのブロック図である。
【図３】携帯端末のブロック図である。
【図４】複数のＭＦＰのうちの１つが内部タイマーの残存時間が０になることで省電力モードに移行する間際の状態を示す説明図である。
【図５】携帯端末の撮影範囲であるフレーム内の所定範囲に存在するＭＦＰと所定範囲外に存在するＭＦＰとが撮影されている動画の例を示す説明図である。
【図６】携帯端末の表示部に表示された、複数のＭＦＰのうちいずれかをユーザーに選択させるためのユーザーインターフェースを示す図である。
【図７】サーバーのブロック図である。
【図８】照合テーブルを示す図である。
【図９】携帯端末の動作を示すフローチャートである。
【図１０】サーバーの動作を示すフローチャートである。
【発明を実施するための形態】
【００２６】
以下、図面を参照して、本発明の実施形態に係る中継接続システム、中継接続プログラム、および中継接続プログラムを記録したコンピュータ読み取り可能な記録媒体について詳細に説明する。
【００２７】
図１は、本発明の実施形態に係る中継接続システムのブロック図である。
【００２８】
中継接続システム１００は、複数台のＭＦＰ（ＭｕｌｔｉＦｕｎｃｔｉｏｎ  Ｐｅｒｉｐｈｅｒａｌ）１３０、携帯端末１２０、およびサーバー１１０を有する。ＭＦＰ１３０はジョブ処理装置を構成する。
【００２９】
サーバー１１０、携帯端末１２０、およびＭＦＰ１３０は、ネットワーク１４０を介して相互に通信可能に接続される。携帯端末１２０は、アクセスポイント１４１を介してネットワーク１４０に接続されることができる。ネットワーク１４０は、イーサネット（登録商標）等の規格によりコンピュータやネットワーク機器同士を接続したＬＡＮ（Ｌｏｃａｌ  Ａｒｅａ  Ｎｅｔｗｏｒｋ）、あるいは、ＬＡＮ同士を専用線で接続したＷＡＮ（Ｗｉｄｅ  Ａｒｅａ  Ｎｅｔｗｏｒｋ）により構成することができる。
【００３０】
図２は、ＭＦＰのブロック図である。
【００３１】
ＭＦＰ１３０は、制御部１３１、記憶部１３２、発光部１３３、画像処理部１３４、画像読取部１３５、操作部１３６、画像形成部１３７、および通信部１３８を有し、これらは信号をやり取りするためのバス１３９を介して相互に接続される。発光部１３３は光点滅部を構成する。
【００３２】
記憶部１３２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）等により構成される。制御部１３１により実行されるプログラム、および制御部１３１により処理されるデータはＲＡＭにより一時的に記憶される。ＲＯＭにより、各種プログラムや各種データが記憶される。ＨＤＤにより、制御部１３１がＭＦＰ１３０の各構成要素を制御するためのプログラムを含む各種プログラム、通信部１３７を通じて受信した印刷ジョブ、画像データ、およびその他の各種データが保存される。
【００３３】
印刷ジョブとは、ＭＦＰ１３０に対する印刷命令の総称であり、印刷ジョブには印刷データおよび印刷設定が含まれる。印刷データとは、印刷の対象であるドキュメントのデータであり、印刷データには、例えば、イメージデータ、ベクタデータ（グラフィックスデータ）、テキストデータといった各種データが含まれる。具体的には、印刷データは、例えば、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データである。印刷設定には、カラーまたはモノクロの設定や用紙の設定等が含まれる。
【００３４】
画像処理部１３４は、ＣＰＵ（Ｃｅｎｔｒａｌ  Ｐｒｏｃｅｓｓｉｎｇ  Ｕｎｉｔ）、またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等から構成され、印刷ジョブに含まれる印刷データのレイアウト処理およびラスタライズ処理を行い、ビットマップ形式の画像のデータである画像データを生成する。
【００３５】
画像読取部１３５は、原稿台の所定の読み取り位置にセットされた原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサ等の撮像装置で光電変換して、その電気信号から画像データを生成する。
【００３６】
操作部１３６は、各種設定を行うタッチパネル、コピー枚数等を設定するテンキー、動作の開始を指示するスタートキー、動作の停止を指示するストップキー、および各種設定条件を初期化するリセットキー等により構成される。
【００３７】
画像形成部１３７は、用紙の搬送装置、感光体ドラム、帯電装置、レーザーユニット、現像装置、転写分離装置、および定着装置を有し、電子写真方式により帯電、露光、現像、転写、および定着の各工程を経て、用紙に画像データに基づく画像形成を行い出力する。
【００３８】
発光部１３３は、ＬＥＤ等の発光素子と発光素子を駆動するドライブ素子により構成される。発光部１３３は操作部１３６の一部として設けられてもよい。発光部１３３は、ユーザーに視覚的に情報を与えるために複数色で発光することができるとともに、様々な点滅パターンで点滅することができる。
【００３９】
後述するように、発光部１３３の点滅による点滅パターンは、携帯端末１２０により撮影および解析され、認識される。従って、発光部１３３の点滅による点滅パターンは、携帯端末１２０で撮影された動画により正確に認識できる周期で行われる。セキュリティーの観点から、点滅光の点滅は、ユーザーにより肉眼では点滅が確認できない周期で行われることが好ましい。例えば、携帯端末１２０で撮影される動画のフレームレートが３０フレーム／秒の場合、１／３０秒〜１／１５秒程度を最小の発光期間・消光期間として点滅させることができる。
【００４０】
通信部１３８は、ネットワーク１４０を通じて外部装置と通信するためのインターフェースである。
【００４１】
制御部１３１は、ＣＰＵ等により構成されることができ、プログラムに従って上記各構成要素の制御や各種の演算処理等を行う。すなわち、制御部１３１は、ＭＦＰ１３０を構成する各構成要素と連携をとりながら、画像形成を含む各種処理に関する制御全般を行なう。
【００４２】
制御部１３１は、ＭＦＰ１３０の特定を開始する時点でなされる、ＭＦＰ１３０の識別開始の通知が、サーバー１１０から通信部１３８により受信されることで、識別開始の通知に含まれる点滅パターンに関する情報に基づいて、発光部１３３を当該点滅パターンで一定時間点滅させる。後述するように、サーバー１１０において、各ＭＦＰ１３０のネットワーク１４０上のアドレスであるＩＰアドレス（以下、「装置ＩＰアドレス」と称する）とＭＦＰ１３０ごとに異なる点滅パターンが対応づけられて照合テーブルに記憶されている。なお、ネットワーク上のアドレスは、ネットワークを用いた通信において装置（ＭＦＰ１３０等）を特定できる情報であれば装置ＩＰアドレス以外の情報であってもよく、例えば、装置名やＭＡＣアドレス等であってもよい。
【００４３】
各ＭＦＰ１３０は、識別開始の通知に含まれる、ＭＦＰ１３０ごとに異なる点滅パターンに関する情報をサーバー１１０から通信部１３８により受信する。
【００４４】
なお、制御部１３１は、ＭＦＰ１３０の電源が投入されたとき、またはサーバー１１０と通信可能になったときから発光部１３３を点滅させてもよい。
【００４５】
制御部１３１は、ＭＦＰ１３０に対する操作要求が所定時間なされなかった場合にＭＦＰ１３０を省電力モードに移行させる。省電力モードとは、ＭＦＰ１３０の消費電力を低下させるモードである。省電力モードにおいては、ＭＦＰ１３０は、発光部１３３の点滅、およびネットワーク１４０を通じた通信の少なくともいずれかが不可能になる。制御部１３１は、ＭＦＰ１３０に対する操作要求が所定時間なされなかったかどうかを、当該所定時間に設定された内部タイマーの残存時間が０になったかどうかにより判断できる。
【００４６】
制御部１３１は、サーバー１１０から省電力禁止の通知が通信部１３８により受信されると、ＭＦＰ１３０を省電力モードに移行させない制御をする。省電力禁止の通知とは、ＭＦＰ１３０が省電力モードに移行することを禁止する通知である。制御部１３１は、内部タイマーを停止させることによりＭＦＰ１３０を省電力モードに移行させない制御をすることができる。
【００４７】
制御部１３１は、サーバー１１０から省電力禁止解除の通知が通信部１３８により受信されると、ＭＦＰ１３０を省電力モードに移行させない制御を解除する。省電力禁止解除の通知とは、ＭＦＰ１３０に対してなされた省電力モードへの移行禁止の制御を解除する通知である。制御部１３１は、内部タイマーの停止を解除することによりＭＦＰ１３０を省電力モードに移行させない制御を解除することができる。
【００４８】
制御部１３１は、携帯端末１２０が送信した印刷ジョブを、サーバー１１０を介して通信部１３８により受信すると、受信した印刷ジョブに含まれる印刷データに基づいて画像処理部１３４によりラスタライズ処理をさせ、画像形成部１２８に用紙に画像形成をさせて出力させる。
【００４９】
図３は、携帯端末のブロック図である。
【００５０】
携帯端末１２０は、制御部１２１、記憶部１２２、撮影部１２３、画像処理部１２４、表示部１２５、操作部１２６、および通信部１２７を有し、これらは信号をやり取りするためのバス１２８を介して相互に接続される。制御部１２１は認識部を構成し、通信部１２６は送信部を構成する。
【００５１】
記憶部１２２は、ＲＡＭ、ＲＯＭ、ＳＳＤ（Ｓｏｌｉｄ  Ｓｔａｔｅ  Ｄｒｉｖｅ）等により構成される。制御部１２１により実行されるプログラム、および制御部１２１により処理されるデータはＲＡＭにより一時的に記憶される。ＲＯＭおよびＳＳＤにより、制御部１２１が携帯端末１２０の各構成要素を制御するためのプログラムを含む各種プログラムや撮影部１２３により撮影されたＭＦＰ１３０の発光部１３３の点滅による点滅パターンの動画を含む各種データが記憶される。
【００５２】
撮影部１２３は、光学レンズ、および撮像素子等により構成され、光学レンズにより撮像素子上に光投影された像の情報を電気信号に変換して出力する。
【００５３】
画像処理部１２４は、ＣＰＵ、またはＡＳＩＣ等から構成され、撮影部１２３により出力される電気信号に基づいて動画データ（以下、「動画」とも称する）を生成する。
【００５４】
表示部１２５は、例えば液晶ディスプレイにより構成され、画像処理部１２４により生成された動画を含む各種の情報を表示する。
【００５５】
操作部１２６は、各種設定および入力を行うタッチパネルおよび固定キーにより構成されることができる。タッチパネルは、表示部１２５の一部として設けられてもよい。
【００５６】
通信部１２７は、無線ＬＡＮ等の無線通信によってアクセスポイント１４１を介してネットワーク１４０と接続されることで、外部装置と通信するためのインターフェースである。
【００５７】
制御部１２１は、ＣＰＵ等により構成されることができ、プログラムに従って上記各構成要素の制御や各種の演算処理等を行う。すなわち、制御部１２１は、携帯端末１２０を構成する各構成要素と連携をとりながら、各種処理に関する制御全般を行なう。
【００５８】
制御部１２１は、サーバー１１０にＭＦＰ１３０の識別開始の通知を送信する。サーバー１１０に送信された識別開始の通知がサーバー１１０において登録されているＭＦＰ１３０に送信されると、識別開始の通知を受信したＭＦＰ１３０の発光部１３３が点滅する。
【００５９】
制御部１２１は、画像処理部１２４により生成された動画に基づいて、撮影部１２３により撮影された、ＭＦＰ１３０の発光部１３３の点滅による点滅パターンを解析し、点滅パターンを認識する。撮影部１２３により撮影された動画に複数のＭＦＰ１３０の点滅パターンが含まれている場合は、制御部１２１は、動画に含まれている複数のＭＦＰ１３０の点滅パターンを認識する。
【００６０】
制御部１２１は、撮影された、各ＭＦＰ１３０の発光部１３３の点滅による点滅パターンを解析することで認識した１つまたは複数の点滅パターンに関する情報を含む接続前要求を通信部１２７によりサーバー１１０に送信する。接続前要求とは、接続前要求に含まれている点滅パターンに関する情報の当該点滅パターンにサーバー１１０において対応付けされている装置ＩＰアドレスのＭＦＰ１３０が省電力モードに移行することを禁止する要求である。接続前要求は、携帯端末１２０とＭＦＰ１３０とがネットワーク１４０を介して接続される前になされる。なお、撮影部１２３により撮影される動画に含まれる点滅パターンは、撮影部１２３の撮影方向等が変わることで変化するため、接続前要求は定期的または連続的に送信されることができる。これにより、例えば、後述するように、撮影部１２３の撮影範囲であるフレームから外れることで撮影されなくなり、接続前要求に含まれなくなった点滅パターンに関する情報の当該点滅パターンで点滅するＭＦＰ１３０に省電力禁止解除の通知をすることができる。
【００６１】
図４のＡは、複数のＭＦＰのうちの１つが内部タイマーの残存時間が０になることで省電力モードに移行する間際の状態を示す説明図である。図４のＢは、携帯端末１２０の撮影範囲４３０であるフレーム４００内に複数のＭＦＰ１３０が存在している動画の例である。図４において、禁止マーク４２０は、ＭＦＰ１３０の内部タイマー４１０が停止されていることを示している。
【００６２】
図４に示すように、フレーム４００内に存在する３つのＭＦＰ１３０のうち左側のＭＦＰ（１）の内部タイマー４１０の残存時間がほとんど無く、省電力モードに移行する間際の状態である。しかし、ＭＦＰ（１）の点滅による点滅パターンに関する情報を含む接続前要求がサーバー１１０に送信され、サーバー１１０によりＭＦＰ（１）の省電力モードへの移行が禁止される制御がされることで、ＭＦＰ（１）の電力モードへの移行が移行間際で制限されている。
【００６３】
制御部１２１は、複数のＭＦＰ１３０が省電力モードに移行することを禁止する接続前要求をサーバー１１０に送信した後に、当該複数のＭＦＰ１３０のうちのいずれかを接続前要求の対象であるＭＦＰ１３０から除外するための除外要求をサーバー１１０に送信することができる。除外要求には、制御部１２１により認識された、接続前要求の対象から除外するＭＦＰ１３０の点滅による点滅パターンに関する情報が含まれている。
【００６４】
図５は、携帯端末の撮影範囲であるフレーム内の所定範囲に存在するＭＦＰと所定範囲外に存在するＭＦＰとが撮影されている動画の例を示す説明図である。ここで、所定範囲とは、フレーム４００の一部の領域を言い、例えば、フレーム４００の中心を含む一部の領域をいう。図５においては、ＭＦＰ（２）が所定範囲に存在し（所定範囲において撮影され）、ＭＦＰ（１）とＭＦＰ（３）が所定範囲外に存在する（所定範囲外で撮影されている）。
【００６５】
図５に示すように、制御部１２１は、携帯端末１２０の撮影範囲であるフレーム４００内の所定範囲５００において撮影されない状態が所定時間継続した点滅パターンで点滅するＭＦＰ１３０（ＭＦＰ（１）とＭＦＰ（３））については、当該ＭＦＰ１３０を対象とする除外要求をサーバー１１０に送信する。サーバー１１０は、除外要求に含まれている点滅パターンに関する情報の当該点滅パターンと照合テーブルにおいて対応付けられている装置ＩＰアドレスのＭＦＰ１３０に対し、省電力モードへの移行の禁止を解除する制御をする。図５においては、左側のＭＦＰ１３０（ＭＦＰ（１））が省電力モードへの移行の禁止を解除されたことにより、内部タイマー４１０の残存時間が０となり、省電力モードの状態になっている。
【００６６】
携帯端末１２０の撮影範囲であるフレーム４００内の所定範囲５００において撮影されているＭＦＰ１３０（ＭＦＰ（２））については省電力モードへの移行の禁止が維持される。
【００６７】
フレーム４００内の所定範囲５００は、前述のとおり、フレーム４００の中心を含む範囲であることが望ましい。所定範囲５００をユーザーが最も注目しやすいフレーム４００の中心を含む範囲とすることで、ユーザーが注目している可能性が高いＭＦＰ１３０が意図せず省電力モードに移行することを防止できる。
【００６８】
制御部１２１は、表示部１２５に表示された動画に含まれる複数のＭＦＰ１３０のうちいずれかを、携帯端末１２０とネットワーク１４０を介して接続させるＭＦＰ１３０としてユーザーに選択させるためのユーザーインターフェースを表示部１２５に表示することができる。制御部１２１は、ユーザーに選択されたＭＦＰ１３０の点滅による点滅パターンに関する情報と、携帯端末１２０のネットワーク１４０上のアドレスであるＩＰアドレス（以下、「端末ＩＰアドレス」と称する）を含む接続要求をサーバー１１０に送信する。
【００６９】
図６は、携帯端末の表示部に表示された、複数のＭＦＰのうちいずれかをユーザーに選択させるためのユーザーインターフェースを示す図である。
【００７０】
図６に示すように、複数のＭＦＰ１３０のうちいずれかをユーザーに選択させるためのユーザーインターフェースは、各ＭＦＰ１３０の発光部１３３を囲む四角形のＵＩボタン６００により構成することができる。ユーザーは、複数のＭＦＰ１３０にそれぞれ表示されたＵＩボタン６００のいずれかをタッチ入力により選択することにより、ＭＦＰ１３０を選択することができる。
【００７１】
制御部１２１は、携帯端末１２０の撮影範囲であるフレーム４００内の所定範囲５００において所定時間継続して撮影された点滅パターンで点滅するＭＦＰ１３０を、ユーザーにより選択されたＭＦＰ１３０であると判断することができる。制御部１２１は、携帯端末１２０の撮影範囲であるフレーム４００内において所定時間継続して撮影された点滅光を発生させるＭＦＰ１３０を、ユーザーにより選択されたＭＦＰ１３０であると判断してもよい。ただし、ユーザーにより選択されたＭＦＰ１３０であると判断されるＭＦＰ１３０は１つに限られる。
【００７２】
制御部１２１は、選択されたＭＦＰ１３０の点滅による点滅パターンを解析することで認識した点滅パターンに関する情報および携帯端末１２０の端末ＩＰアドレスを含む接続要求を通信部１２７によりサーバー１１０に送信する。接続要求とは、当該接続要求に含まれている点滅パターンに関する情報の当該点滅パターンにサーバー１１０において対応付けされている装置ＩＰアドレスのＭＦＰ１３０に、当該要求に含まれている端末ＩＰアドレスの携帯端末１２０を接続することの要求である。
【００７３】
制御部１２１は、サーバー１１０によりネットワーク１４０を介して携帯端末１２０と接続されたＭＦＰ１３０に印刷ジョブを送信し、ＭＦＰ１３０により用紙に画像形成をさせて出力させる。
【００７４】
図７は、サーバーのブロック図である。
【００７５】
サーバー１１０は、制御部１１１、記憶部１１２、および通信部１１３を有し、これらは信号をやり取りするためのバス１１４を介して相互に接続される。通信部１１５は受信部を構成する。
【００７６】
記憶部１１２は、ＲＡＭ、ＲＯＭ、ＨＤＤ等により構成される。制御部１１１により実行されるプログラム、および制御部１１１により処理されるデータはＲＡＭにより一時的に記憶される。ＲＯＭにより、各種プログラムや各種データが記憶される。ＨＤＤにより、オペレーティングシステムを含む各種プログラム、印刷ジョブ、照合テーブル１１２１、およびその他の各種データが保存される。
【００７７】
図８は、照合テーブルを示す図である。
【００７８】
照合テーブル１１２１には、ＭＦＰ１３０ごとに、装置ＩＤ、装置ＩＰアドレス、点滅パターン、点滅状態、装置状態、接続頻度、および端末ＩＰアドレスが関連付けされて記憶される。つまり、サーバー１１０は、複数台のＭＦＰ１３０を、一群のＭＦＰ１３０として、予め、グループとして管理することができ、グループに含まれるＭＦＰ１３０のそれぞれについて、装置ＩＤ、装置ＩＰアドレス、点滅パターン、点滅状態、装置状態、接続頻度、および端末ＩＰアドレス等の情報を記憶する。図８においては、各行が、１つのＭＦＰ１３０に関して関連付けされた情報になっている。
【００７９】
装置ＩＤは、各ＭＦＰ１３０に割り当てられた識別番号または名称である。
【００８０】
点滅パターンは、「１」と「０」とを所定の複数個並べた符号で表され、「１」は発光、「０」は消光を示している。点滅パターンは、記憶部１１２に点滅パターンを生成するためのプログラムを記憶させておき、当該プログラムを動作させることにより生成され、照合テーブル１１２１に登録されることができる。点滅パターンは、管理者が作成して照合テーブル１１２１に登録してもよい。また、同一のネットワーク１４０内でサーバー１１０と通信可能なＭＦＰ１３０が制御部１１１により新たに認識されたときに、前述のプログラムにより点滅パターンを生成し、新たに認識されたＭＦＰ１３０の装置ＩＰアドレスと対応付けて照合テーブル１１２１に登録してもよい。
【００８１】
点滅状態は、ＭＦＰ１３０の発光部１３３が正常に点滅動作するか異常があるかを示す情報である。サーバー１１０は、発光部１３３の異常を自己診断等で検出したＭＦＰ１３０から通知を受けて、点滅状態を照合テーブル１１２１に登録し、かつ更新する。
【００８２】
装置状態には、ＭＦＰ１３０が、消耗品切れ（例えば、トナー切れ）や、紙詰まりを解除するためにドアが開いている等の要因で正常にジョブを実行できない状態にあるかどうかが登録および更新される。例えば、サーバー１１０は、トナー切れで印刷できないＭＦＰ１３０からその通知を受けて照合テーブル１１２１の装置状態を登録および更新する。
【００８３】
接続頻度は、携帯端末１２０から接続要求を受けて、接続設定が行われた回数である。接続設定とは、ＭＦＰ１３０の装置ＩＰアドレスと、携帯端末１２０の端末ＩＰアドレスとが対応付けられて照合テーブル１１２１に登録され、記憶部１１２に記憶されることで、ＭＦＰ１３０と携帯端末１２０とがネットワーク１４０を介して接続される設定である。
【００８４】
端末ＩＰアドレスは、接続設定によってＭＦＰ１３０の装置ＩＰアドレスと対応付けされて照合テーブル１１２１に登録される。
【００８５】
図８において、ＭＦＰ（４）は、ＭＦＰ１３０が新たに照合テーブル１１２１に登録された際の初期状態の例を示している。ＭＦＰ（１）は、有効な接続設定が登録されている例を示している。ＭＦＰ（２）は、装置状態がトナー切れであり、接続設定はなされていない例を示している。ＭＦＰ（３）は、発光部１３３の点滅異常が発生している例を示している。
【００８６】
通信部１１３は、ネットワーク１４０を通じて外部装置と通信するためのインターフェースである。
【００８７】
制御部１１１は、ＣＰＵ等により構成されることができ、プログラムに従って上記各構成要素の制御や各種の演算処理等を行う。すなわち、制御部１１１は、サーバー１１０を構成する各構成要素と連携をとりながら、各種処理に関する制御全般を行なう。
【００８８】
制御部１１１は、装置ＩＤ、装置ＩＰアドレス、点滅パターン、点滅状態、装置状態、接続頻度、および端末ＩＰアドレスを、対応付けて照合テーブル１１２１に登録することにより記憶部１１２に記憶させる。
【００８９】
制御部１１１は、携帯端末１２０からＭＦＰ１３０の識別開始の通知が通信部１１３により受信されると、照合テーブル１１２１に登録されているＭＦＰ１３０に識別開始の通知を通信部１１３から送信させることにより、ＭＦＰ１３０の発光部１３３を点滅させる。制御部１１１は、ＭＦＰ１３０に送信する識別開始の通知に、照合テーブル１１２１において装置ＩＰアドレスに対応付けられている点滅パターンに関する情報を含ませることにより、識別開始の通知に含まれた点滅パターンに関する情報の当該点滅パターンでＭＦＰ１３０の発光部１３３を点滅させる。
【００９０】
制御部１１１は、携帯端末１２０から接続前要求が通信部１１３により受信されると、接続前要求に含まれる点滅パターンに関する情報の当該点滅パターンと照合テーブル１１２１において対応付けされた装置ＩＰアドレスのＭＦＰ１３０を特定する。すなわち、制御部１１１は、接続前要求に含まれる点滅パターンに関する情報に対応するＭＦＰ１３０を特定する。制御部１１１は、特定したＭＦＰ１３０に、省電力モードに移行することを禁止するための省電力禁止の通知を通信部１１３から送信する。
【００９１】
制御部１１１は、接続前要求によりＭＦＰ１３０を特定する前の、識別開始の通知を受信した時点で、ネットワーク１４０に接続されたＭＦＰ１３０に省電力禁止の通知をしてもよい。その後、接続前要求によりＭＦＰ１３０を特定した時点で、特定したＭＦＰ１３０以外のＭＦＰ１３０に対し省電力禁止解除の通知をしてもよい。
【００９２】
制御部１１１は、携帯端末１２０により複数のＭＦＰ１３０の点滅による複数の点滅パターンが撮影され当該複数の点滅パターンが認識されることで、接続前要求に複数の点滅パターンに関する情報が含まれている場合は、複数のＭＦＰ１３０を特定し、特定したＭＦＰ１３０に省電力禁止の通知をする。制御部１１１は、その後、携帯端末１２０の撮影範囲であるフレーム４００から外れることで撮影されなくなり、点滅パターンが認識されなくなることで接続前要求に含まれなくなった点滅パターンに関する情報の当該点滅パターンで点滅するＭＦＰ１３０に省電力禁止解除の通知をすることができる。
【００９３】
制御部１１１は、接続前要求により複数のＭＦＰ１３０を特定して複数のＭＦＰ１３０に省電力禁止の通知をした後、携帯端末１２０の撮影範囲であるフレーム４００内の所定範囲５００において撮影されない状態が所定時間継続した点滅パターンで点滅するＭＦＰ１３０に省電力禁止解除の通知をしてもよい。制御部１１１は、携帯端末１２０の撮影範囲であるフレーム内の所定範囲において撮影されない状態が所定時間継続した点滅パターンで点滅するＭＦＰ１３０を、携帯端末１２０から受信する除外要求により認識することができる。
【００９４】
制御部１１１は、接続前要求により複数のＭＦＰ１３０を特定して複数のＭＦＰ１３０に省電力禁止の通知をした後、当該複数のＭＦＰ１３０のうち携帯端末１２０においてユーザーにより選択されたＭＦＰ１３０以外のＭＦＰ１３０に省電力禁止解除の通知をしてもよい。制御部１１１は、ユーザーにより選択されたＭＦＰ１３０を、接続要求に含まれる点滅パターンに関する情報の当該点滅パターンと照合テーブル１１２１において対応付けされた装置ＩＰアドレスのＭＦＰ１３０として認識できる。
【００９５】
制御部１１１は、携帯端末１２０から接続要求が通信部１１３により受信されると、接続要求に含まれる点滅パターンに関する情報の当該点滅パターンと照合テーブル１１２１において対応付けされた装置ＩＰアドレスのＭＦＰ１３０を特定する。すなわち、制御部１１１は、接続要求に含まれる点滅パターンに関する情報に対応するＭＦＰ１３０を特定する。制御部１１１は、特定したＭＦＰ１３０の装置ＩＰアドレスと、接続要求に含まれる携帯端末１２０の端末ＩＰアドレスとを対応付けて照合テーブル１１２１に登録して記憶部１１２に記憶させる。制御部１１１は、照合テーブル１１２１において端末ＩＰアドレスと装置ＩＰアドレスとが対応付けされて登録されると、当該端末ＩＰアドレスの携帯端末１２０と、当該装置ＩＰアドレスのＭＦＰ１３０との間の通信を中継する。これにより、接続要求を送信した携帯端末１２０と、接続要求に含まれる点滅パターンに関する情報の当該点滅パターンに対応付けられた装置ＩＰアドレスのＭＦＰ１３０とがネットワーク１４０を介して接続される。なお、制御部１１１は、ＭＦＰ１３０の装置ＩＰアドレスと、携帯端末１２０の端末ＩＰアドレスとを対応付けて照合テーブル１１２１に登録することで記憶部１１２に記憶させた後、当該登録を一定時間保持することで連続印刷に対応することができる。
【００９６】
図９は、携帯端末の動作を示すフローチャートである。本フローチャートは携帯端末１２０の記憶部に記憶させたプログラムに従い、制御部１２１により実行されることができる。
【００９７】
ユーザーにより印刷データをＭＦＰ１３０に送信するためのアプリケーションプログラムが起動されると（Ｓ１０１）、制御部１２１は、サーバー１１０にＭＦＰ１３０の識別開始の通知を送信する（Ｓ１０２）。サーバー１１０は、携帯端末１２０から識別開始の通知を受信すると、照合テーブル１１２１に登録されているすべてのＭＦＰ１３０に識別開始の通知を送信し、ＭＦＰ１３０の発光部１３３を点滅させる。
【００９８】
制御部１２１は、撮影部１２３によりＭＦＰ１３０の点滅による点滅パターンの動画が撮影されると、動画に含まれる点滅パターンを解析して認識する（Ｓ１０３）。
【００９９】
制御部１２１は、認識した点滅パターンに関する情報を含む接続前要求をサーバー１１０へ送信する（Ｓ１０４）。
【０１００】
制御部１２１は、サーバー１１０から、認識した点滅パターンに照合テーブル１１２１において対応付けされたＭＦＰ１３０の情報を受信し（Ｓ１０５）、表示部１２５に表示する（Ｓ１０６）。受信されるＭＦＰ１３０の情報には、例えば、照合テーブル１１２１に登録されている、点滅状態、および装置状態等の情報が含まれる。
【０１０１】
制御部１２１は、操作部１２６において入力されるユーザーからの各種指示を受け付ける（Ｓ１０７）。
【０１０２】
制御部１２１は、ユーザーから操作のキャンセルの指示を受けた場合は（Ｓ１０８：ＹＥＳ）、サーバー１１０に操作のキャンセルを通知して（Ｓ１１２）、処理を終了する。
【０１０３】
制御部１２１は、ユーザーから操作のキャンセルの指示を受けていない場合は（Ｓ１０８：ＮＯ）、ＭＦＰ１３０が選択されたかどうか判断する（Ｓ１０９）。制御部１２１は、携帯端末１２０の表示部１２５に表示されたＭＦＰ１３０を選択させるためのユーザーインターフェースにおいて、ユーザーにＭＦＰ１３０が選択されたことにより、ＭＦＰ１３０が選択されたと判断できる。制御部１２１は、携帯端末１２０の撮影範囲であるフレーム４００内、またはフレーム４００内の所定範囲５００において所定時間継続して撮影された点滅光を発生させるＭＦＰ１３０がある場合、当該ＭＦＰ１３０がユーザーにより選択されたと判断してもよい。
【０１０４】
制御部１２１は、ＭＦＰ１３０が選択されていないと判断した場合は（Ｓ１０９：ＮＯ）、ステップＳ１０３〜ステップＳ１０９を繰り返し実行する。
【０１０５】
制御部１２１は、ＭＦＰ１３０が選択されたと判断した場合は（Ｓ１０９：ＹＥＳ）、選択されたＭＦＰ１３０の点滅による点滅パターンを解析することで認識した点滅パターンに関する情報および携帯端末１２０の端末ＩＰアドレスを含む接続要求をサーバー１１０に送信する。
【０１０６】
制御部１２１は、接続要求を送信することで、選択されたＭＦＰ１３０との接続がサーバー１１０によりなされた後、印刷ジョブをサーバー１１０に送信する（Ｓ１１１）。
【０１０７】
図１０は、サーバーの動作を示すフローチャートである。本フローチャートはサーバー１１０の記憶部１１２に記憶させたプログラムに従い、制御部１１１により実行されることができる。
【０１０８】
制御部１１１は、携帯端末１２０からＭＦＰ１３０の識別開始の通知を受信すると、照合テーブル１１２１に登録されているすべてのＭＦＰ１３０に識別開始の通知を送信し、ＭＦＰ１３０の発光部１３３を点滅させる（Ｓ２０１）。
【０１０９】
制御部１１１は、照合テーブル１１２１に登録されることで管理されているＭＦＰ１３０に省電力禁止の通知を送信する（Ｓ２０２）。これにより、サーバー１１０に登録されているＭＦＰ１３０が省電力モードに移行することが禁止される。
【０１１０】
制御部１１１は、携帯端末１２０により認識された点滅パターンに関する情報を含む接続前要求を携帯端末１２０から受信すると（Ｓ２０３）、当該点滅パターンに照合テーブル１１２１において対応付けされたＭＦＰ１３０の情報を記憶部１１２から取得し（Ｓ２０４）、携帯端末１２０に送信する（Ｓ２０５）。
【０１１１】
制御部１１１は、携帯端末１２０により新たに認識されることで接続前要求に新たに含まれた点滅パターンに関する情報がある場合は（Ｓ２０６：ＹＥＳ）、当該点滅パターンに照合テーブル１１２１において対応付けされたＭＦＰ１３０に省電力禁止の通知を送信する（Ｓ２０７）。また、制御部１１１は、省電力禁止の通知をしたＭＦＰ１３０のうち、携帯端末１２０により認識されなくなることで接続前要求に含まれなくなった点滅パターンに関する情報の当該点滅パターンに対応付けされたＭＦＰ１３０に省電力禁止解除の通知を送信する（Ｓ２０８）。
【０１１２】
制御部１１１は、携帯端末１２０により新たに認識されることで接続前要求に新たに含まれた点滅パターンに関する情報がない場合は（Ｓ２０６：ＮＯ）、携帯端末１２０により認識されなくなることで接続前要求に含まれなくなった点滅パターンに関する情報があるかどうか判断する（Ｓ２０９）。
【０１１３】
制御部１１１は、接続前要求に含まれなくなった点滅パターンに関する情報がある場合は（Ｓ２１０：ＹＥＳ）、当該点滅パターンに対応付けされたＭＦＰ１３０に省電力禁止解除の通知を送信する（Ｓ２１０）。
【０１１４】
制御部１１１は、携帯端末１２０から操作のキャンセルの通知を受信したときは（Ｓ２１１：ＹＥＳ）、省電力禁止の通知により省電力モードへの移行を禁止していたＭＦＰ１３０に省電力禁止解除の通知をして省電力モードへの移行の禁止の制御を解除する（Ｓ２１５）。
【０１１５】
制御部１１１は、携帯端末１２０から操作のキャンセルの通知を受信していないときは（Ｓ２１１：ＮＯ）、携帯端末１２０においてＭＦＰ１３０が選択されたかどうか判断する（Ｓ２１２）。制御部１１１は、携帯端末１２０においてＭＦＰ１３０が選択されたかどうかを、接続要求が携帯端末１２０から受信されたかどうかにより判断することができる。
【０１１６】
制御部１１１は、ＭＦＰ１３０が選択されていないと判断したときは（Ｓ２１２：ＮＯ）、ステップＳ２０３〜ステップＳ２１２を繰り返し実行する。
【０１１７】
制御部１１１は、ＭＦＰ１３０が選択されたと判断したときは（Ｓ２１２：ＹＥＳ）、受信された接続要求に含まれる点滅パターンに関する情報の当該点滅パターンと照合テーブル１１２１において対応付けされた装置ＩＰアドレスのＭＦＰ１３０と、接続要求に含まれる携帯端末１２０の端末ＩＰアドレスとを対応付けて照合テーブル１１２１に登録する（Ｓ２１３）。これにより、携帯端末１２０と、携帯端末１２０において選択されたＭＦＰ１３０とがネットワーク１４０を介して接続される。
【０１１８】
制御部１１１は、携帯端末１２０から受信した印刷ジョブを選択されたＭＦＰ１３０に送信する（Ｓ２１４）。その後、制御部１１１は、省電力禁止の通知により省電力モードへの移行を禁止していたＭＦＰ１３０に省電力禁止解除の通知をして省電力モードへの移行の禁止の制御を解除する（Ｓ２１５）。
【０１１９】
以上、本発明の実施形態に係る中継接続システム、中継接続プログラム、および中継接続プログラムを記録したコンピュータ読み取り可能な記録媒体について説明したが、本実施形態は以下の効果を奏する。
【０１２０】
ある程度離れた位置から画像形成装置を識別して当該画像形成装置と携帯端末との間の通信を確立可能とするとともに、携帯端末により撮影されている画像形成装置を認識して省電力モードへの移行を禁止することにより、画像形成装置が意図せずに省電力モードへ移行することを制限し、無駄な待ち時間が発生することを抑制できる。
【０１２１】
さらに、ジョブ処理装置の特定を開始する時点で、ネットワークに接続されたジョブ処理装置が省電力モードに移行することを禁止し、ジョブ処理装置の特定をした時点で、特定したジョブ処理装置以外のジョブ処理装置が省電力モードに移行することを禁止する。これにより、より早い時点で、ユーザーが携帯端末との接続を希望する可能性のあるジョブ処理装置の省電力モードへの移行を制限することで、ジョブ処理装置の特定中に接続を希望するジョブ処理装置が省電力モードに移行することを制限できる。
【０１２２】
さらに、複数のジョブ処理装置を特定して省電力モードへの移行を制限した後、携帯端末の撮影範囲であるフレームから外れたジョブ処理装置、フレーム内の所定範囲から所定時間外れたジョブ処理装置、およびユーザーにより選択されたジョブ処理装置、以外のジョブ処理装置については、省電力モードへの移行の制限を解除する。これにより、必要以上にジョブ処理装置の省電力モードへの移行を制限することによる消費電力の増加を防止できる。
【０１２３】
本発明に係る中継接続システム、中継接続プログラム、および中継接続プログラムを記録したコンピュータ読み取り可能な記録媒体は、上述した実施形態に限定されるものではない。
【０１２４】
例えば、上述した実施形態においては、ジョブ処理装置の発光部の点滅による点滅パターンを撮影した携帯端末が、撮影した点滅パターンを解析して点滅パターンを認識している。しかし、携帯端末からサーバーに点滅パターンの動画を、点滅パターンに関する情報として送信し、サーバーにより動画が解析されて動画に含まれる点滅パターンが認識されてもよい。
【０１２５】
また、上述した実施形態では、ジョブ処置装置をＭＦＰとして説明したが、携帯端末から要求されたジョブを実行する装置であれば、ＭＦＰに限定されない。また、ネットワーク上のアドレスをＩＰアドレスとして説明したが、ＩＰで使用されるアドレスに限らず、使用されるネットワークに応じ、そのネットワーク上のアドレスであればよい。
【符号の説明】
【０１２６】
１００    中継接続システム、
１１０    サーバー、
１２０    携帯端末、
１３０    ＭＦＰ、
４００    フレーム、
４１０    内部タイマー、
４３０    撮影範囲、
５００    フレーム内の所定範囲
６００    ＵＩボタン。
【図１】
0006447180.tif 000002
【図２】
0006447180.tif 000003
【図３】
0006447180.tif 000004
【図４】
0006447180.tif 000005
【図５】
0006447180.tif 000006
【図６】
0006447180.tif 000007
【図７】
0006447180.tif 000008
【図８】
0006447180.tif 000009
【図９】
0006447180.tif 000010
【図１０】
0006447180.tif 000011